(57)【要約】【課題】インターロックスイッチを用いない場合であっても、光源ランプに安全に接触でき、設計自由度向上、小型化、軽量化、部品費低減が図れるプロジェクターの提供。【解決手段】光源装置と、外部から供給された電力を前記光源装置に供給する電源装置と、前記光源装置および前記電源装置を内部に収納する外装筺体と、を備えたプロジェクターであって、前記外装筺体には、前記光源装置の配設位置に対応した位置に交換用開口部が形成されているとともに、前記交換用開口部を閉塞する蓋体が着脱自在に設けられ、前記蓋体の着脱に連動して、前記光源装置への電力供給を行うことを特徴とするプロジェクター。【選択図】図４
2012108343.tif 000002
【特許請求の範囲】
【請求項１】
光源装置と、
外部から供給された電力を前記光源装置に供給する電源装置と、
前記光源装置および前記電源装置を内部に収納する外装筺体と、
を備えたプロジェクターであって、
前記外装筺体には、前記光源装置の配設位置に対応した位置に交換用開口部が形成されているとともに、前記交換用開口部を閉塞する蓋体が着脱自在に設けられ、
前記蓋体の着脱に連動して、前記光源装置への電力供給を行うことを特徴とするプロジェクター。
【請求項２】
請求項１に記載したプロジェクターにおいて、
前記電源装置に接続された第１のコネクターと前記第１のコネクターと接続する前記蓋体に設置された第２のコネクターと、前記光源装置に接続された第３のコネクターと前記第３のコネクターと接続する前記蓋体に設置された第４のコネクターを備え、
前記蓋体は、前記外装筐体面に対して水平方向に脱着できることを特徴とするプロジェクター。
【請求項３】
請求項１に記載したプロジェクターにおいて、
前記交換用開口部には、前記電源装置に接続される第１の導体部と前記光源装置に接続される第２の導体部を有するソケットが設けられ、
前記蓋体には複数の導電物が設置され、
前記導電物は、前記ソケットに電気的に接続可能とすることを特徴とするプロジェクター。
【請求項４】
請求項３に記載したプロジェクターにおいて、
前記導電物は、Ｕ字形の形状であることを特徴とするプロジェクター。
【請求項５】
請求項３に記載したプロジェクターにおいて、
前記第１の導体部は、前記蓋体の着脱方向に対して前記ソケットの奥側に設置され、前記第２の導体部は、前記ソケットの手前側に設置されていることを特徴とするプロジェクター。
【発明の詳細な説明】
【技術分野】
【０００１】
本発明は、プロジェクターに関する。
【背景技術】
【０００２】
従来、光源装置と光源装置からの光束を映像情報に応じ変調して画像光を形成する光変調装置と、画像光をスクリーン等に拡大投射する投射光学装置を備えたプロジェクターが知られている。
このようなプロジェクターでは、使用時間の経過に伴って光源装置からの光束が低下するため、利用者が光源装置を交換可能とする構造が採用される。
ところで、利用者に安全な状態で光源装置を交換させるためには、光源装置の交換時において、電源装置やランプ用電源装置から光源装置への電力供給を最初に遮断するか、高電圧・高電力を供給している導電部には利用者が触れることができない構造とする事が必要である。
このため、特許文献１に記載のプロジェクターではインターロックスイッチを用いて、蓋体の脱着に連動して電源のオンオフができるようになっている。
【先行技術文献】
【特許文献】
【０００３】
【特許文献１】特開２００９−２１０８６０号公報
【特許文献２】特開２０００−３２１６６４号公報
【発明の概要】
【発明が解決しようとする課題】
【０００４】
しかしながら、プロジェクターのインターロックスイッチを用いた場合、インターロックスイッチは蓋体の近くに配置する必要があり、配置上の制約によって電力供給を行う配線経路が長く複雑化し、製品のＥＭＣ（Electro Magnetic Compatibility)対策が難しくなっている。
【０００５】
一般的なインターロックを使用する場合、インターロックを入れる箇所は外部電源から電源装置の間のみの使用となり、配置上の制約によって電力供給を行う配線経路が長く複雑化し、設計やＥＭＣ対策が難しくなっている。
【０００６】
プロジェクターの光源装置交換時の安全確保のためにインターロックスイッチを使用する場合には、インターロックスイッチの部品費用が発生する。このことにより、プロジェクターの部品費が増大し、販売価格の上昇につながる。
【０００７】
従来インターロックスイッチを用いないプロジェクターにおける蓋体付近の構造は、高電圧・高電力を供給している導電部には利用者が触れることができない構造にする必要があり、そのために光源装置や光源装置付近の形状設計が難しくなっている。
【０００８】
インターロックスイッチを用いないプロジェクターにおける蓋体付近の構造設計には、安全対策を行うための形状設計部品費用が必要であり、インターロックスイッチを用いて光源装置の交換作業時の安全対策を行う場合と同等の対策費用がかかる。
【課題を解決するための手段】
【０００９】
本発明は、上述の課題の少なくとも一部を解決するためになされたものであり、以下の形態または適用例として実現することが可能である。
【００１０】
［適用例１］本発明の適用例にかかるプロジェクターは、光源装置と、外部から供給された電力を前記光源装置に供給する電源装置と、前記光源装置および前記電源装置を内部に収納する外装筺体と、を備えたプロジェクターであって、前記外装筺体には、前記光源装置の配設位置に対応した位置に交換用開口部が形成されているとともに、前記交換用開口部を閉塞する蓋体が着脱自在に設けられ、前記蓋体の着脱に連動して、前記光源装置への電力供給を行うことを特徴とする。
【００１１】
本適用例によれば、蓋体は、外装筺体の取り付け時には蓋体の導電部により電源装置と光源装置が電気的に接続され、蓋体の外装筺体からの取り外し時には蓋体の導電部が蓋体と同時に取り外されるため、光源装置への電力供給を遮断させることができることとなり、これによってこの機構のみで光源装置の取り外し時の安全を確保することができる。
また、蓋体内の導電部の脱着できる区間は、外部電源から電源装置、電源装置からランプ用電源装置、ランプ用電源装置から光源装置の間のどこでも良いため、設計時の装置の配置によって配線が長くなることが少なくなり、これによって設計の選択範囲の上昇、ノイズなどのＥＭＣ対策の低減が可能となる。
【００１２】
［適用例２］上記適用例に記載のプロジェクターにおいて、前記電源装置に接続された第１のコネクターと前記第１のコネクターと接続する前記蓋体に設置された第２のコネクターと、前記光源装置に接続された第３のコネクターと前記第３のコネクターと接続する前記蓋体に設置された第４のコネクターを備え、前記蓋体は、前記外装筐体面に対して水平方向に脱着できることを特徴とする。
【００１３】
本適用例によれば、蓋体を水平方向に着脱することで蓋体と外装筺体との固定をする構造と蓋体の移動による導電部の着脱構造が容易に設計できるため、部品費用の削減が可能となり、これによってプロジェクターの部品費削減が可能となる。
また、光源装置始動用の、コネクター着脱方向の寸法が長くなってしまうコネクターの着脱方向を水平方向にすることで蓋体の機構に高さ方向の寸法が減少することとなり、これによってプロジェクターの薄型化が可能となる。
【００１４】
［適用例３］上記適用例に記載のプロジェクターにおいて、前記交換用開口部には、前記電源装置に接続される第１の導体部と前記光源装置に接続される第２の導体部を有するソケットが設けられ、前記蓋体には複数の導電物が設置され、前記導電物は、前記ソケットに電気的に接続可能とすることを特徴とする。
【００１５】
本適用例によれば、電気的接続接点をソケットにすることで、この蓋体の機構に高さ方向の寸法が減少することとなり、これによってプロジェクターの薄型化が可能となる。
【００１６】
［適用例４］上記適用例に記載のプロジェクターにおいて、前記導電物は、Ｕ字形の形状であることを特徴とする。
【００１７】
本適用例によれば、蓋体の脱着時に電源装置とＵ字型の導電物、Ｕ字型の導電物と電源装置を接続する接点が集中し、寸法誤差が減少するため、部品の寸法管理が容易となり、これによって、部品の設計・製造が容易となることが可能である。
【００１８】
［適用例５］上記適用例に記載のプロジェクターにおいて、前記第１の導体部は、前記蓋体部の着脱方向に対して前記ソケットの奥側に設置され、前記第２の導体部は、前記ソケットの手前側に設置されていることを特徴とする。
【００１９】
本適用例によれば、ソケット内の導電部が電源装置に接続されている側がソケットの奥側、光源装置側に接続されている側の端子がソケットの手前側にあるため、蓋体が外装に装着される直前に蓋体の導電部が電源装置と接続されることとなり、これによって装着時の初期段階と脱蓋時の最終段階に、蓋体と外装筺体の間に蓋体の導体部が触れるような構造であっても、光源装置周辺の構造のみで光源装置の取り外し時の安全を確保することが可能である。
【図面の簡単な説明】
【００２０】
【図１】プロジェクター内部における光源装置の電力供給接続図。
【図２】プロジェクター内部における光源装置の電力供給接続図。
【図３】インターロックを用いた場合の光源装置電力供給接続の概略図。
【図４】実施例１の蓋体導体接続構造図。
【図５】実施例２の蓋体導体接続構造図。
【図６】実施例３の蓋体導体接続構造図。
【発明を実施するための形態】
【００２１】
以下、本発明のプロジェクターにかかる一実施形態を図面に基づいて説明する。
【００２２】
［内部構成］
図１、図２はプロジェクター内部における光源装置の電力供給接続の概略図であり、図３はインターロックを用いた場合の光源装置の概略電力供給接続の概略図である。
図に示すように、プロジェクターの外装筺体１の内部において装置本体が収容されており、装置本体は、電源装置３１、ランプ用電源装置３、蓋体２、光源装置４等を備えている。
【００２３】
なお、図示は省略したが、外装筺体１内においては、光源装置４からの光束を映像情報に応じ変調して画像光を形成する光変調装置、画像光をスクリーン等に拡大投射する投射光学装置、内部に空気を導入させるための冷却ファン、空気を外部に排気するためのファン、プロジェクターの動作を制御する制御装置などが配置されている。
【００２４】
外装筐体１内においては、図１に示すランプ用電源装置３と光源装置４の間、または図２に示す電源装置３１とランプ用電源装置３の間を、ケーブル、蓋体に設置されたコネクターまたは、導電物を介して電力供給をしている。なお、ケーブル、蓋体、コネクター、導電物は図示を省略している。
【００２５】
また、図３に示すように、外部電源５から外装筐体１内の電源装置３１の間を、ケーブル、蓋体に設置されたコネクターまたは導電物を介して電力供給をしている。なお、ケーブル、蓋体、コネクター、導電物は図示を省略している。また、外部電源５から外装筐体１内の電源装置３１の間にはインターロックスイッチ６を配置することも可能である。
【００２６】
［電源装置の構造］
図１から図３に示す電源装置３１は、外部電源５からのノイズを低減・除去するフィルター回路、交流電源をランプ用電源装置３に電力供給するために一定の直流電圧に変換するＡＣ／ＤＣ回路、ランプ用電源装置３への電力供給用の直流電圧から、機器制御装置用の直流電圧値への変換と絶縁を行うためのＤＣ／ＤＣ回路等にて構成されている。
【００２７】
［ランプ用電源装置の構造］
図１から図３に示すランプ用電源装置３は電源装置３１から供給される一定の直流電圧の電力を、光源装置４用の周波数の交流電源に変換するＤＣ／ＡＣ回路、ランプ始動を行うための始動動作回路等にて構成されている。ランプ用電源装置３は本発明における電源装置に相当する。
【００２８】
［蓋体の形状］
蓋体２は、外装筺体１に装着されている時には、外装筺体１と合わせることで、動作時に光源装置４など外装筺体１の内部部品に使用者が触れることができないよう、外装筺体１との隙間が無いような形状になっている。蓋体２は外装筺体１に装着されている際に機器内部となる側には光源装置４への電力供給を行っているケーブル又は導電物の一部を所有しており、その導電物は電源装置３１やランプ用電源装置３、光源装置４への接続を行える形状となっている。
【００２９】
［光源装置の構造］
光源装置４は、上述した制御装置による制御によって、蓋体２が装着された際には電源装置３から供給される電力によって点灯し、光を光変調装置、投射光学装置に射出する。光源装置４は光源ランプ、光源ランプからの光をより多く光変調装置、投射光学装置に射出するための形状をした反射鏡であるリフレクター、ランプ用電源装置からの電力を供給するためのケーブルとコネクター、これらを包むハウジングによって構成されている。
光源ランプとしてはハロゲンランプや高圧水銀ランプが用いられる。
【実施例１】
【００３０】
図１に示すようにランプ用電源装置３と光源装置４の間に蓋体２の一部である光源装置４への電力供給を行っているケーブル又は導電物の一部がある場合、図４のように２接点の第２のコネクター１１，第４のコネクター１３を有する蓋体２と、外装筐体１には、ランプ用電源装置３の導体から接続される２接点の第１のコネクター１０と、光源装置４の導体から接続される２接点の第３のコネクター１２があり、蓋体２の片方の第２のコネクター１１とランプ用電源装置３の第１のコネクター１０、蓋体のもう片方の第４のコネクター１３と光源装置４の第３のコネクター１２は、互いに接合し、接合時には固定ができる形状になっており、蓋体２の外装筐体１への装着と同時に、２つのコネクター１１，１３がコネクター１０，１２へ同時に接合できる構造としている。
【００３１】
したがって、この蓋体２は、外装筺体１への取り付け時には蓋体２のコネクター１１，１３によりランプ用電源装置３と光源装置４が電気的に接続され、外装筺体１から取り外し時には蓋体２のコネクター１１，１３が蓋体２と同時に取り外されるため、光源装置４への電力供給を遮断させることができることとなり、この機構のみで光源装置４の取り外し時の安全を確保することができる。
【００３２】
また、蓋体２を水平方向に着脱することで蓋体２と外装筺体１との固定をする構造と蓋体２の移動による導電部（コネクター）の着脱構造が容易に設計できるため、部品費用の削減が可能となり、これによってプロジェクターの部品費削減が可能となる。
【００３３】
さらに、光源装置４始動用のコネクター着脱方向の寸法が長くなってしまう場合、着脱方向を水平方向にすることで、この蓋体２の機構に高さ方向の寸法が減少することとなり、これによってプロジェクターの薄型化が可能となる。
【実施例２】
【００３４】
蓋体２の一部である光源装置４への電力供給を行っているケーブル又は導電物１４の一部がランプ用電源装置３と光源装置４の間にある場合、図５に示すように蓋体２の一部である光源装置４への電力供給を行っている導体の一部との接続には５面が閉じられた２穴のソケット形状でそれぞれのソケット穴内部には蓋体２の導電物１４と２接点で接触する導体を有する構造を持ったソケット１５を機器内部に装備しており、ランプ用電源装置３と光源装置４の間にソケット１５がある場合はソケット穴手前の第１の導体部１６は光源装置４と接続、ソケット穴奥の第２の導体部１７はランプ用電源装置３と接続されるように配線されている。
【００３５】
図５に示す蓋体２は導電物１４を２つ有し、それぞれの導電物１４は図５に示すように蓋体２の装着時には蓋体２の装着動作によって機器本体側のソケット穴内部に蓋体２の導電物１４が挿入され、ソケット内部の寸法を満たし、挿入時は製品寸法誤差によって蓋体２の導電物１４とソケット内部の導体部１６，１７の接続が切れることはない。
【００３６】
したがって、電気的接続接点をソケット１５にすることで、この蓋体２の機構に高さ方向の寸法が減少することとなり、プロジェクターの薄型化が可能となる。
【００３７】
また、ソケット内の第２の導体部１７がランプ用電源装置３に接続されている側がソケットの奥、光源装置４側に接続されている側の第１の導体部１６がソケットの手前にあるため、蓋体２が外装筐体１に装着される直前に蓋体２の導電物１４がランプ用電源装置３と接続されることとなり、これによって装着時の初期段階と脱蓋時の最終段階に蓋体２と外装筺体１の間に蓋体２の導電物１４に触れるような構造であっても光源装置４周辺の構造により安全を確保することが可能である。
【実施例３】
【００３８】
図６に示すように、光源装置４（不図示）に対応した場所に交換用開口部を設け、交換用開口部を閉塞する蓋体２は、蓋体２の着脱方向と平行にＵ字形の導電物１８を複数有する場合、蓋体２の一部である光源装置４への電力供給を行っている導体の一部がランプ用電源装置３と光源装置４の間にある場合、蓋体２の一部である光源装置４への電力供給を行っている導体の一部との接続には４穴のソケット形状でそれぞれのソケット穴内部には蓋体２の導電物１８と接触する導体を有する構造を持ったソケット１９を機器内部に装備しており、蓋体２が装着された際に光源装置４とランプ用電源装置３が接続されるように配線されている。
【００３９】
図６に示す蓋体はＵ字形の導電物１８を２つ有し、それぞれの導電物１８は図６に示すように蓋体２の装着時には蓋体２の装着動作によって機器本体側のソケット穴内部に蓋体２の導電物１８が挿入され、ソケット１９内部の寸法を満たし、挿入時は製品寸法誤差によって蓋体２の導電物１８とソケット１９内部の導体の接続が切れることはない。
【００４０】
したがって、蓋体２の脱着時にランプ用電源装置３とＵ字型の導電物１８、Ｕ字型の導電物１８と電源装置４を接続する接点が集中し、寸法誤差が減少するため、部品の寸法管理が容易となり、部品の設計・製造が容易となることが可能である。
【００４１】
［実施形態の変形例］
なお、本発明は前述の実施形態に限定されるものではなく、本発明の目的を達成できる範囲での変形、改良等は本発明に含まれるものである。
前記実施形態では、ランプ用電源装置３と光源装置４の間の接続としていたが、これに限らず、外部電源５と電源装置３１、又は電源装置３１とランプ用電源装置３の間の接続でも構わない。
【００４２】
この蓋体２内の導電物の脱着できる区間は、外部電源５から電源装置３１、電源装置３１からランプ用電源装置３、ランプ用電源装置３から光源装置４の間のどこでも良いため、設計時の装置の配置によって配線が長くなることが少なくなり、これによって設計の選択範囲の上昇、ノイズなどのＥＭＣ対策の低減が可能となる。
【００４３】
また、蓋体２の導電物を水平方向に着脱する場合において、外部電源５と電源装置３１の間にソケット１５がある場合は、ソケット穴手前の導体は電源装置３１と接続、ソケット穴奥の導体は外部電源５と接続、電源装置３１とランプ用電源３の間にソケットがある場合はソケット穴手前の導体はランプ用電源装置３と接続、ソケット穴奥の導体は電源装置３１と接続させることが望ましい。
【符号の説明】
【００４４】
１…外装筐体、２…蓋体、３…ランプ用電源装置、４…光源装置、５…電源、６…インターロックスイッチ、１０…第１のコネクター、１１…第２のコネクター、１２…第３のコネクター、１３…第４のコネクター、１４…導電物、１５，１９…ソケット、１６…第１の導体部、１７…第２の導体部、１８…Ｕ字型導電物。
【図１】
2012108343.tif 000003
【図２】
2012108343.tif 000004
【図３】
2012108343.tif 000005
【図４】
2012108343.tif 000006
【図５】
2012108343.tif 000007
【図６】
2012108343.tif 000008